(57)【要約】【課題】  残土を投入した後でも残土保管袋を簡単に取り外すことができる残土保管袋の開口固定具を提供する。【解決手段】  開口部１ａが上部に設けられた残土保管袋１を収容する少なくとも１つの収容部３ａを設けた枠体３と、この枠体３に着脱自在に固定されたクランプ１２、このクランプ１２に突設された相対向する２つのピン保持板１３、及び、これら２つのピン保持板１３にそれぞれ形成した貫通孔１３ａよりも大きい頭部１４ａを有しかつ残土保管袋１における開口部１ａの周囲の開口端部１ｂに一端７ａが取り付けられた掛止紐７の他端７ｂを貫通孔１３ａへの挿脱により着脱自在に掛止するリベットピン（ピン部材）１４で構成され、かつ、開口部１ａを広げた状態に保持する複数の掛止部材４と、を備えた。【選択図】      図２ 
2005082209.tif 000002
【特許請求の範囲】
【請求項１】
開口部が上部に設けられた残土保管袋を収容する少なくとも１つの収容部を設けた枠体と、
この枠体に着脱自在に固定されたクランプ、このクランプに突設された相対向する２つのピン保持板、及び、これら２つのピン保持板にそれぞれ形成した貫通孔よりも大きい頭部を有しかつ前記残土保管袋における前記開口部の周囲の開口端部に一端が取り付けられた掛止紐の他端を前記貫通孔への挿脱により着脱自在に掛止するピン部材で構成され、かつ、前記開口部を広げた状態に保持する複数の掛止部材と、
を備えたことを特徴とする残土保管袋の開口固定具。
【請求項２】
前記枠体は、互いに間隔を開けて平行に立設される複数の支柱と、隣接する支柱の間にそれぞれ着脱自在に架設された複数の横材とを有するものである請求項１記載の残土保管袋の開口固定具。
【発明の詳細な説明】
【技術分野】
【０００１】
本発明は、残土保管袋の上部に設けられた開口部を広げた状態に保持する残土保管袋の開口固定具に関するものである。
【背景技術】
【０００２】
周知のように、建物の基礎工事等において掘削した地盤と同じ又は異なる地盤に埋め戻される残土の残土保管袋内への投入に際しては、作業を容易にするため、残土保管袋の上部に設けられた開口部を作業員の手で広げた状態に保持していた。しかし、残土保管袋の開口部を広げるには２人以上の作業員が必要であると共に、多量の残土を投入するために重機を使用する場合、残土保管袋の近傍に作業員がいては危険であるという問題点があった。
【０００３】
そこで、残土保管袋の開口部を広げた状態に保持するものとしては、直方体の辺に相当する部分を枠で構成し、この枠の上部に複数の掛止部を設けた袋保持枠等が提案されており、前記掛止部としては、枠の角柱の上部に水平に取り付けられた円筒と、この円筒内に回転可能に保持された丸棒と、この丸棒の一端に突設された把手と、前記丸棒の他端に前記把手の反対方向に突設された掛け部とからなるものが知られている（例えば、特許文献１参照。）。
【特許文献１】登録実用新案第３０４７８８７号公報（第２−５頁，図１）
【発明の開示】
【発明が解決しようとする課題】
【０００４】
上記のような袋保持枠により残土保管袋の開口部を広げた状態に保持するには、残土保管袋の開口部に一端を取り付けた複数の掛止紐の他端を前記掛け部にそれぞれ掛止すればよいが、残土を投入した後で残土保管袋を取り外すには、前記把手を旋回させて前記掛け部を下向きにした状態で前記掛止紐をスライドさせて前記丸棒の他端から取り外す必要がある。しかしながら、前記掛止紐は余り長く形成されていないので、前記掛止紐を前記丸棒から取り外すことができない場合があるという問題点がある。
【０００５】
本発明は、以上のような問題点に鑑みてなされたものであり、残土を投入した後でも残土保管袋を簡単に取り外すことができる残土保管袋の開口固定具を提供することを目的とする。
【課題を解決するための手段】
【０００６】
上記目的を達成するための請求項１の発明は、開口部が上部に設けられた残土保管袋を収容する少なくとも１つの収容部を設けた枠体と、この枠体に着脱自在に固定されたクランプ、このクランプに突設された相対向する２つのピン保持板、及び、これら２つのピン保持板にそれぞれ形成した貫通孔よりも大きい頭部を有しかつ前記残土保管袋における前記開口部の周囲の開口端部に一端が取り付けられた掛止紐の他端を前記貫通孔への挿脱により着脱自在に掛止するピン部材で構成され、かつ、前記開口部を広げた状態に保持する複数の掛止部材と、を備えたものである。
【０００７】
請求項２の発明においては、前記枠体は、互いに間隔を開けて平行に立設される複数の支柱と、隣接する支柱の間にそれぞれ着脱自在に架設された複数の横材とを有するものである。
【発明の効果】
【０００８】
請求項１の発明によれば、枠体と複数の掛止部材とを備えているので、掛止紐の他端を掛止部材に着脱自在に掛止しておけば、ピン部材を貫通孔から引き抜くだけで掛止紐を簡単に取り外すことができる。また、ピン部材は貫通孔よりも大きい頭部を有しているので、頭部が上方又は側方に位置するように掛止部材を枠体に取り付けておけば、ピン部材が脱落するおそれがない。
【０００９】
請求項２の発明によれば、枠体は複数の支柱と複数の横材とを有するものであるので、枠体をコンパクトに解体した状態で運搬・収納できると共に、収容する残土保管袋の数に応じた枠体を組み立てることができる。
【発明を実施するための最良の形態】
【００１０】
以下、本発明の実施形態を図面に基づいて説明する。
この実施形態に係る残土保管袋１の開口固定具２は、図１及び図２に示すように、枠体３と、例えば４つの掛止部材４とを備えたものである。
【００１１】
ここでいうところの残土とは、建物の基礎工事等において地盤から掘削され、その地盤と同じ又は異なる地盤に埋め戻される土（掘削土）をいう。残土保管袋１は、残土を保管するための袋であり、図１に示すように、その上部には残土を投入するための開口部１ａが設けられている。この残土保管袋１は、図１及び図２に示すように、開口部１ａが上部に設けられた外袋体５と、開口部１ａの周囲の開口端部１ｂの内側に下部が縫着された筒状の内袋体６と、この内袋体６を介して開口端部１ｂの内側に一端７ａが縫着された例えば４つの掛止紐７とを有している。掛止紐７は環状に形成されており、その他端７ｂが掛止部材４に着脱自在に掛止される。掛止紐７の掛止部材４への掛止に際しては、内袋体６の上部を外袋体５の外側で下方に折り返しておくのが望ましい。なお、掛止部材４の数は４つに限定されるものではなく、掛止紐７の数等に応じて適宜変更可能である。
【００１２】
外袋体５の底部には十字状の切込みを形成することにより開閉自在な４つの底片（図示せず）が設けられており、図２に示すように、４つの補強ベルト８が外袋体５の上端から各底片の先端に渡ってそれぞれ縫着されている。各補強ベルト８の下端は、各底片を閉じるための開閉ロープ（図示せず）により互いに連結される。外袋体５の下部の内側には、筒状の内袋体（図示せず）の上部が縫着されている。そのため、開閉ロープを縛っておけば残土保管袋１を吊り上げてもその底部から残土は排出されないが、開閉ロープを解けば４つの底片が開き、下方の内袋体を通して残土が排出されるようになっている。
【００１３】
補強ベルト８の上端には２つの補強ベルト８を１対として吊り上げロープ（図示せず）の一端と他端がそれぞれ係止されており、これら２つの吊り上げロープをそれぞれバックホウのバケットのフック部等に掛止すれば、残土を投入した残土保管袋１を吊り上げて開口固定具２から取り出すことができる。このような残土保管袋１としては、フレキシブルコンテナバッグ（商品名，例えば積水ポリマテック株式会社製）等を好適に使用できる。
【００１４】
枠体３は、図１乃至図４に示すように、残土保管袋１を収容する収容部３ａを有している。ここで、枠体３が、互いに間隔を開けて平行に立設される例えば４つの支柱９と、隣接する支柱９の間にそれぞれ着脱自在に架設された例えば８つの横材１０とを有するものであれば、枠体３をコンパクトに解体した状態で運搬・収納できると共に、収容する残土保管袋１の数に応じた枠体３を組み立てることができるという利点がある。即ち、収容部３ａは、収容する残土保管袋１の数に合わせて設けておけばよい。
【００１５】
支柱９は鋼製の単管パイプで構成されており、図３乃至図５に示すように、その外周面には複数のコ字状の保持部９ａがそれぞれ上下方向に開口するようにして４方向に突設されている。この支柱９は、その下端を図３のように地盤１１に埋設するか又は地盤１１等の上に載置することにより互いに間隔を開けて平行に立設される。
【００１６】
横材１０も鋼製の単管パイプで構成されており、その両端には保持部９ａに着脱自在に嵌着される突出部１０ａがそれぞれ設けられている。この横材１０は、図２及び図３に示すように、隣接する支柱９の間に例えば上下２段ずつ架設できるが、必要に応じて１段ずつ又は上下３段以上ずつ架設することもできる。
【００１７】
掛止部材４は、図６及び図７に示すように、枠体３の例えば横材１０に着脱自在に固定されたクランプ１２と、このクランプ１２に突設された相対向する２つのピン保持板１３と、これら２つのピン保持板１３にそれぞれ形成した貫通孔１３ａよりも大きい頭部１４ａを有しかつ貫通孔１３ａへの挿脱により掛止紐７の他端７ｂを着脱自在に掛止するリベットピン（ピン部材）１４とで構成されている。
【００１８】
クランプ１２は、相対向する２つの側板１５ａ及びこれら２つの側板１５ａの一側端同士を連結する連結板１５ｂでコ字状に形成されたコ字形部材１５と、２つの側板１５ａの間に軸部材１６により基端が回動自在に固定された一方のアーム１７と、このアーム１７の先端に軸部材１８により基端が回動自在に固定されたボルト１９と、２つの側板１５ａの間に軸部材２０により基端が回動自在に固定された他方のアーム２１と、このアーム２１の先端に設けた挿入溝２１ａに挿入されたボルト１９に座金２２を介して螺合して他方のアーム２１の先端を一方のアーム１７側に締め付けるナット２３とを有している。このクランプ１２は、図７に示すように、コ字形部材１５の２つの側板１５ａの他側端にそれぞれ形成した各円弧状溝１５ｃが横材１０に当接し、ナット２３の締め付けにより１対のアーム１７，２１の間に横材１０を挟着することにより、横材１０に着脱自在に固定される。なお、クランプ１２は、上段の横材１０の他、支柱９や下段の横材１０等に固定することもできる。
【００１９】
クランプ１２の連結板１５ｂには、相対向する２つのピン保持板１３及びこれら２つのピン保持板１３の端部同士を連結する連結板１３ｂでコ字状に形成されたコ字形部材１３ｃの連結板１３ｂが溶接等により固定されている。なお、ピン保持板１３は、クランプ１２の連結板１５ｂ等に溶接等により直接固定することもできる。また、ピン部材としては、リベットピン１４の他、適宜の頭部を有するピン、ボルト、アイボルト等であってもよい。
【００２０】
残土保管袋１の開口部１ａを広げた状態に保持するには、まず、図３及び図４に示すように、地盤１１等の適宜の位置に枠体３を組み立てる。この場合、組み立て済みの枠体３を地盤１１等の適宜の位置に載置してもよい。
【００２１】
次いで、図１及び図２に示すように、上段の各横材１０の中央付近等に掛止部材４をそれぞれ取り付け、リベットピン１４に掛止紐７の他端７ｂを掛止すれば、残土保管袋１の開口部１ａを広げた状態に保持することができる。この場合、掛止部材４は、上段の横材１０等にあらかじめ取り付けておいてもよい。
【００２２】
このようにして掛止紐７の他端７ｂを掛止部材４に着脱自在に掛止しておけば、図８に示すように、リベットピン１４を貫通孔１３ａから引き抜くだけで掛止紐７を簡単に取り外すことができるという利点がある。また、リベットピン１４は貫通孔１３ａよりも大きい頭部１４ａを有しているので、頭部１４ａが上方又は側方に位置するように掛止部材４を枠体３に取り付けておけば、リベットピン１４が脱落するおそれがないという利点がある。
【００２３】
なお、この実施形態においては、枠体３に１つの残土保管袋１を収容する場合について説明したが、これに限定されるものではなく、図９に示すように、複数の残土保管袋１を収容することもできる。この場合、複数の収容部３ａを設けた枠体３を組み立てておき、各収容部３ａにそれぞれ残土保管袋１を収容しておけばよい。また、複数の収容部３ａは、図９のように１方向（横方向又は縦方向）にのみ隣接する場合の他、縦横２方向や所定の方向に隣接するようにしてもよい。このように、複数の収容部３ａを設けた枠体３を使用して複数の残土保管袋１の開口部１ａを広げた状態にそれぞれ保持しておけば、複数の残土保管袋１に残土を一括して投入できるという利点がある。
【産業上の利用可能性】
【００２４】
以上のように、本発明に係る残土保管袋の開口固定具は、残土保管袋の開口部を広げた状態に保持する場合に有用であり、特に、残土を投入した後でも残土保管袋を簡単に取り外すのに適している。
【図面の簡単な説明】
【００２５】
【図１】実施形態に係る残土保管袋の開口固定具の使用状態を示す平面図。
【図２】図１の縦端面図。
【図３】枠体の正面図。
【図４】枠体の平面図。
【図５】支柱の平面図。
【図６】掛止部材付近を示す要部拡大平面図。
【図７】掛止部材付近を示す要部拡大縦断面図。
【図８】掛止紐の他端を取り外す様子を示す要部拡大縦断面図。
【図９】複数の収容部を設けた枠体を使用した例を示す要部拡大平面図。
【符号の説明】
【００２６】
１  残土保管袋
１ａ  開口部
１ｂ  開口端部
２  開口固定具
３  枠体
３ａ  収容部
４  掛止部材
７  掛止紐
７ａ  一端
７ｂ  他端
９  支柱
１０  横材
１２  クランプ
１３  ピン保持板
１３ａ  貫通孔
１４  リベットピン（ピン部材）
１４ａ  頭部
【図１】
2005082209.tif 000003
【図２】
2005082209.tif 000004
【図３】
2005082209.tif 000005
【図４】
2005082209.tif 000006
【図５】
2005082209.tif 000007
【図６】
2005082209.tif 000008
【図７】
2005082209.tif 000009
【図８】
2005082209.tif 000010
【図９】
2005082209.tif 000011